(57)【要約】【課題】所望の行動目的を達成するために確実に到達することができる目的地の情報を提供することが可能な目的地情報提供システムを提供する。【解決手段】二次電池の電力で駆動される移動体１１に対して、行動目的に応じた目的地の情報を提供する目的地情報提供システム１０は、移動体１１の現位置と電力量消費率と二次電池の残量とから、当該残量によって移動体１１が行動可能な範囲を取得する行動可能範囲取得部５１と、行動目的に適合する目的地を移動体１１の行動可能範囲内から抽出する抽出部５２とを備えている。【選択図】図１
2014228429.tif 000002
【特許請求の範囲】
【請求項１】
二次電池の電力で駆動される移動体に対して、行動目的に応じた目的地の情報を提供する目的地情報提供システムであって、
前記移動体の現位置と電力量消費率と前記二次電池の残量とから、当該残量によって前記移動体が行動可能な範囲を取得する行動可能範囲取得部と、
前記行動目的に適合する目的地を前記移動体の行動可能範囲内から抽出する抽出部と、
を備えている目的地情報提供システム。
【請求項２】
前記抽出部により抽出された目的地までの経路を取得する経路取得部をさらに備えている、請求項１に記載の目的地情報提供システム。
【請求項３】
前記目的地の優先度を設定する優先度設定部をさらに備えている請求項１又は２に記載の目的地情報提供システム。
【請求項４】
前記優先度設定部は、前記目的地へ到達したときの前記二次電池の残量が多いものほど優先度を高く設定する、請求項３に記載の目的地情報提供システム。
【請求項５】
前記優先度設定部は、前記目的地又はその経路に前記二次電池の充電装置が存在するものほど優先度を高く設定する、請求項３又は４に記載の目的地情報提供システム。
【請求項６】
前記優先度設定部は、前記目的地への到達時点における当該目的地の混雑度合いが低いものほど優先度を高く設定する、請求項３〜５のいずれか１項に記載の目的地情報提供システム。
【請求項７】
前記優先度設定部は、利用頻度の高い目的地ほど優先度を高く設定する、請求項３〜６のいずれか１項に記載の目的地情報提供システム。
【請求項８】
抽出された目的地のうち、前記目的地への到着予想時刻が営業時間内の目的地のみを提供候補として選択する選択部をさらに備えている、請求項１〜７のいずれか１項に記載の目的地情報提供システム。
【請求項９】
前記移動体に通信網を介して通信可能に接続され、かつ前記移動体に前記目的地の情報を提供する情報提供装置をさらに備え、当該情報提供装置が、前記行動可能範囲取得部、及び前記抽出部を備えている、請求項１〜８のいずれか１項に記載の目的地情報提供システム。
【請求項１０】
二次電池の電力で駆動される移動体に対して、行動目的に応じた目的地の情報を提供する目的地情報提供方法であって、
前記移動体の現位置と電力量消費率と前記二次電池の残量とから、当該残量によって前記移動体が行動可能な範囲を取得する工程と、
前記行動目的に適合する目的地を前記移動体の行動可能範囲内から抽出する工程と、
を含む、目的地情報提供方法。
【請求項１１】
二次電池の電力で駆動される移動体に対して行動目的に応じた目的地の情報を提供する目的地情報提供システムに適用されるコンピュータプログラムであって、
前記移動体の現位置と電力量消費率と前記二次電池の残量とから、当該残量によって前記移動体が行動可能な範囲を取得する行動可能範囲取得部、及び
前記行動目的に適合する目的地を前記移動体の行動可能範囲内から抽出する抽出部
としてコンピュータを機能させるための、コンピュータプログラム。
【発明の詳細な説明】
【技術分野】
【０００１】
本発明は、特に二次電池の電力で駆動される移動体に好適に利用することができる目的地情報提供システム及び方法、並びにコンピュータプログラムに関する。
【背景技術】
【０００２】
ドライバの希望に応じた目的地までの経路を設定し、案内を行うナビゲーション装置が広く普及している。例えば、下記特許文献１には、利用者からの提案要求指示に基づいて候補となる目的地を抽出し、ドライバに提供することができるナビゲーション装置が開示されている。このナビゲーション装置は、提案要求指示として、例えば「買い物」や「遊び」などの目的が入力されると、当該目的に適合した目的地を抽出し提案する。また、目的地を抽出するにあたって、その目的地が営業時間内であるか否か、天候に影響されずに利用可能か否か等を考慮するように構成されている。そのため、目的地に着いた後に営業時間外であったり、天候不順のため利用不可能であったりすることもなく、確実に目的を達成できる。
【先行技術文献】
【特許文献】
【０００３】
【特許文献１】特開平１１−３３７３６１号公報
【発明の概要】
【発明が解決しようとする課題】
【０００４】
ところで、近年においては、温室効果ガスであるＣＯ２の排出量抑制や大気汚染の原因となるＰＭやＮＯｘの排出量抑制等のために、ガソリン等の化石燃料で作動するエンジンを駆動源とした一般的な自動車に替わるものとして、二次電池の電力で作動する電動モータを駆動源とした電気自動車が普及しつつある。
しかしながら、電気自動車は、一般的な自動車に比べて航続距離が短いため、特許文献１に記載されているようなナビゲーション装置によって目的地が提供されたとしても、その目的地へ移動するために常に電力の消費に注意を払わなければならず、電力不足のために目的地に到達することができない可能性もある。また、電気自動車の公衆充電設備は徐々に増えているものの未だ十分とは言えず、目的地へ到達するまでに電力が不足しても充電できない可能性が高い。
【０００５】
本発明は、二次電池の電力で駆動される移動体に対して確実に到達することができる目的地の情報を提供することが可能な目的地情報提供システム及び方法、並びにコンピュータプログラムを提供することを目的とする。
【課題を解決するための手段】
【０００６】
本発明は、二次電池の電力で駆動される移動体に対して、行動目的に応じた目的地の情報を提供する目的地情報提供システムであって、
前記移動体の現位置と電力量消費率と二次電池の残量とから、当該残量によって前記移動体が行動可能な範囲を取得する行動可能範囲取得部と、
前記行動目的に適合する目的地を前記移動体の行動可能範囲内から抽出する抽出部と、
を備えている目的地情報提供システムである。
【０００７】
また、本発明は、二次電池の電力で駆動される移動体に対して、行動目的に応じた目的地の情報を提供する目的地情報提供方法であって、
前記移動体の現位置と電力量消費率と前記二次電池の残量とから、当該残量によって前記移動体が行動可能な範囲を取得する工程と、
前記行動目的に適合する目的地を前記移動体の行動可能範囲内から抽出する工程と、
を含む、目的地情報提供方法である。
【０００８】
また、本発明は、二次電池の電力で駆動される移動体に対して行動目的に応じた目的地の情報を提供する目的地情報提供システムに適用されるコンピュータプログラムであって、
前記移動体の現位置と電力量消費率と前記二次電池の残量とから、当該残量によって前記移動体が行動可能な範囲を取得する行動可能範囲取得部、及び
前記行動目的に適合する目的地を前記移動体の行動可能範囲内から抽出する抽出部
としてコンピュータを機能させるための、コンピュータプログラムである。
【０００９】
なお、本発明は、上記のような特徴的な構成を備える目的地情報提供システム、目的地情報提供方法、又はコンピュータプログラムとして実現することができるだけでなく、例えば、当該コンピュータプログラムを記録した記録媒体として実現したり、当該目的地情報システムの一部又は全部を実現する装置や半導体集積回路として実現したりすることもできる。
【発明の効果】
【００１０】
本発明によれば、二次電池の電力で駆動される移動体に対して、確実に到達することができる目的地の情報を提供することができる。
【図面の簡単な説明】
【００１１】
【図１】本発明の一実施形態に係る目的地情報提供システムの全体構成を示す概略図である。
【図２】車載装置の構成を示すブロック図である。
【図３】サーバー装置の構成を示すブロック図である。
【図４】サーバー装置の処理コンピュータにおける処理手順を示すフローチャートである。
【図５】処理コンピュータにおける優先度設定処理手順を示すフローチャートである。
【発明を実施するための形態】
【００１２】
［本発明の実施形態の説明］
最初に本発明の実施形態の内容を列記して説明する。なお、以下に記載する各実施形態は、その一部を任意に組み合わせることも可能である。
（１）本発明の実施形態に係る目的地情報提供システムは、
二次電池の電力で駆動される移動体に対して、行動目的に応じた目的地の情報を提供する目的地情報提供システムであって、
前記移動体の現位置と電力量消費率と二次電池の残量とから、当該残量によって前記移動体が行動可能な範囲を取得する行動可能範囲取得部と、
前記行動目的に適合する目的地を前記移動体の行動可能範囲内から抽出する抽出部と、
を備えている。
【００１３】
上記目的地情報提供システムにおいては、行動可能範囲取得部が、移動体における現位置と二次電池の残量と電力量消費率とから、移動体の行動可能範囲を取得する。そして、抽出部が、取得された行動可能範囲内から所望の行動目的に応じた目的地を抽出する。したがって、移動体は、抽出された目的地へ電力不足を招くことなく到達することが可能となる。
なお、上記の電力量消費率とは、単位距離当たりの電力消費量（Ｗｈ／ｋｍ）、又は単位電力量当たりの移動距離（ｋｍ／ｋＷｈ）を示し、化石燃料で走行する一般的な自動車の「燃費」に対応する指標である。実施形態においては、前記「燃費」に対応するかたちで電力量消費率のことを「電費」ともいう。
【００１４】
（２）  上記（１）の目的地情報提供システムにおいて、前記抽出部により抽出された目的地までの経路を取得する経路取得部をさらに備えていることが好ましい。
この構成によれば、行動可能範囲内に絞られた目的地について経路取得部が経路を取得することになるため、経路取得に係る演算負荷を可及的に抑制することができる。
【００１５】
（３）  上記（１）又は（２）の目的地情報提供システムにおいて、前記目的地の優先度を設定する優先度設定部をさらに備えていることが好ましい。
（４）  上記（３）の目的地情報提供システムにおいて、前記優先度設定部は、前記目的地へ到達したときの前記二次電池の残量が多いものほど優先度を高く設定することが好ましい。
この構成によれば、利用者が優先度の高い目的地を選択することによって、少ない消費電力で目的地まで移動することができる。
【００１６】
（５）  上記（３）又は（４）の目的地情報提供システムにおいて、前記優先度設定部は、前記目的地又はその経路に前記二次電池の充電装置が存在するものほど優先度を高く設定してもよい。
この構成によれば、利用者が優先度の高い目的地を選択することによって、その目的地又は経路において二次電池の充電を行うことができる可能性が高くなり、目的地への到達可能性を高めることができるとともに、行動可能範囲を拡大することができる。
【００１７】
（６）  上記（３）〜（５）のいずれか１つの目的地情報提供システムにおいて、前記優先度設定部は、前記目的地への到達時点における当該目的地の混雑度合いが低いものほど優先度を高く設定してもよい。
この構成によれば、利用者が優先度の高い目的地を選択することによって、混雑に巻き込まれることなく効率的に目的を達成することが可能となる。
【００１８】
（７）  上記（３）〜（６）のいずれか１つの目的地情報提供システムにおいて、前記優先度設定部は、利用頻度の高い目的地ほど優先度を高く設定してもよい。
この構成によれば、利用者が優先度の高い目的地を選択することによって、自己の嗜好性に適合する可能性が高い目的地を利用することができる。
【００１９】
（８）  上記（１）〜（７）のいずれか１つの目的地情報提供システムにおいて、目的地情報提供は、抽出された目的地のうち、前記目的地への到達予想時刻が営業時間内の目的地のみを提供候補として選択する選択部をさらに備えていることが好ましい。
このような構成によって、確実に目的を達成することができる目的地の情報を利用者に提供することができる。
【００２０】
（９）  上記（１）〜（８）のいずれか１つの目的地情報提供システムにおいて、前記移動体に通信網を介して通信可能に接続され、かつ前記移動体に前記目的地の情報を提供する情報提供装置をさらに備え、当該情報提供装置が、前記行動可能範囲取得部及び前記抽出部を備えていることが好ましい。
このような構成によって、行動可能範囲の取得、及び目的地の抽出に係る演算を移動体とは異なる情報提供装置において行うことができ、移動体における演算負荷を軽減し、二次電池の電力消費を抑制することができる。
【００２１】
（１０）  本発明の実施形態に係る目的地情報提供方法は、
二次電池の電力で駆動される移動体に対して、行動目的に応じた目的地の情報を提供する目的地情報提供方法であって、
前記移動体の現位置と電力量消費率と前記二次電池の残量とから、当該残量によって前記移動体が行動可能な範囲を取得する工程と、
前記行動目的に適合する目的地を前記移動体の行動可能範囲内から抽出する工程と、
を含む、目的地情報提供方法である。
【００２２】
（１１）  本発明の実施形態に係るコンピュータプログラムは、
二次電池の電力で駆動される移動体に対して行動目的に応じた目的地の情報を提供する目的地情報提供システムに適用されるコンピュータプログラムであって、
前記移動体の現位置と電力量消費率と前記二次電池の残量とから、当該残量によって前記移動体が行動可能な範囲を取得する行動可能範囲取得部、及び
前記行動目的に適合する目的地を前記移動体の行動可能範囲内から抽出する抽出部
としてコンピュータを機能させるための、コンピュータプログラムである。
【００２３】
［本発明の実施形態の詳細］
［システムの全体構成］
図１は、本発明の一実施形態に係る目的地情報提供システムの全体構成を示す概略図である。
本実施形態の目的地情報提供システム１０は、車両（移動体）１１に対して目的地（施設Ａ〜Ｃ）までの経路を設定し案内する、所謂ナビゲーションシステムを構成するものである。本実施形態の車両１１は、バッテリ（二次電池）の電力で作動する電動モータを駆動源として走行する電気自動車や、電動バイク、電動自転車（所謂フル電動自転車、電動アシスト自転車）等を含む。また、車両１１は、近年注目されつつある１〜２人乗りのパーソナルモビリティ等を含むことができる。バッテリは、例えばリチウムイオン電池を採用することができるが、これに限定されるものではない。
【００２４】
本実施形態の車両１１には、目的地情報提供システムの一構成要素である車載装置１２が搭載され、この車載装置１２が搭乗者（利用者）に目的地の情報（場所、経路等）を報知するように構成されている。この車載装置１２は、目的地情報提供システム１０の他の構成要素であるサーバー装置（情報提供装置）１３に、インターネット等の公衆通信網１４を介して通信可能に接続されている。車載装置１２は、利用者の行動目的の入力を受け付けてサーバー装置１３に送信し、サーバー装置１３は、受信した行動目的に応じた目的地の情報を取得して車載装置１２に送信する。そして、車載装置１２は、サーバー装置１３から受信した目的地の情報をドライバ等の利用者に報知する。
【００２５】
［車載装置１２の構成］
図２は、車載装置１２の構成を示すブロック図である。
本実施形態の車載装置１２は、車載コンピュータ２１、ＧＰＳ受信機２２、無線通信機２３、車速センサ２４、ジャイロセンサ２５、記憶装置２６、ディスプレイ２７、スピーカー２８、及び入力デバイス２９を備えている。
車載コンピュータ２１は、各種の制御プログラムを実装したマイクロコンピュータ等の演算処理装置よりなり、その制御プログラムを実行することによって車内の他の電子機器の動作制御を行うように構成されている。また、車載コンピュータ２１は、制御プラグラムを実行することによって、目的地に関する情報を取得するための各種処理を実行する機能を有している。具体的に、車載コンピュータ２１は、その機能部として、行動目的受付部３１、位置取得部３２、バッテリ残量取得部３３、電費取得部３４等を備えている。なお、制御プラグラムは、ＣＤ−ＲＯＭなどの記録媒体に記憶させることができる。
【００２６】
行動目的受付部３１は、入力デバイス２９を介して入力された利用者の行動目的を受け付ける。例えば、「食事」、「買い物」、「レジャー」等の行動目的の大まかなジャンル（大項目）の選択や、各ジャンルにおける詳細項目（中項目、小項目）、例えば、「食事」のジャンルにおける「和食」、「洋食」、「中華」等の選択、「レジャー」のジャンルにおける「屋外」、「屋内」、「スポーツ」、「鑑賞」等の選択、「買い物」のジャンルにおける「食料」、「衣料」、「生活備品」等の選択を受け付ける形態を採用することができる。なお、行動目的受付部３１は、所定の選択肢のなかから行動目的を選択するものに限らず、行動目的の直接的な入力を受け付けるものであってもよい。
【００２７】
位置取得部３２は、ＧＰＳ受信機２２が定期的に取得するＧＰＳ信号により自車の絶対位置を求めるとともに、車速センサ２４及びジャイロセンサ２５から随時入力される入力信号に基づいてその位置及び方位を補間し、車両１１の正確な現在位置及び方位を取得する。
車両１１には、バッテリの電力状態を監視しつつ、その充放電制御を行うバッテリ制御部３５が設けられている。車載コンピュータ２１におけるバッテリ残量取得部３３は、このバッテリ制御部３５から現時点におけるバッテリの残量に関する情報を取得する。
【００２８】
電費取得部３４は、車両１１の走行メータから取得した走行距離に関する情報と、バッテリ制御部３５から取得した電力消費量に関する情報とから、自車の電費、すなわち電力量消費率を演算により求める。この電費は、走行環境（気温、冷暖房の有無等）やバッテリの劣化度合い等によって変動するため、例えば直近の所定期間内（半年間等）のものを求めることができる。また、電費は、一般道路走行時や高速道路走行時等の道路種別毎に求めてもよい。
【００２９】
記憶装置２６は、ＨＤＤやフラッシュメモリ等からなり、地図データベースを備えている。この地図データベースは、車載コンピュータ２１に道路地図データを提供するものであり、この道路地図データはリンクデータやノードデータを含んでいる。記憶装置２６は、車載コンピュータ２１からの指令に応じて必要な道路地図データを読み出して車載コンピュータ２１に提供する。なお、道路地図データは、ＤＶＤやＣＤ−ＲＯＭ等の可搬型の記憶媒体に格納されていてもよい。また、記憶装置２６は、電気自動車、電動バイク等の車両１１の車種に関する情報や、車載コンピュータ２１により取得された自車の位置情報、バッテリ残量情報、及び電費情報や、過去に提供された目的地の情報、過去の走行経路に関する情報等をも記憶する。これらの情報は車載コンピュータ２１からの指令に応じて適宜読み出される。
【００３０】
ディスプレイ２７とスピーカー２８は、サーバー装置１３から受信した各種情報や車載コンピュータ２１が生成した各種情報等を車両１１の利用者に提示するための出力装置である。具体的には、ディスプレイ２７は、行動目的の入力画面、自車周辺の地図画像及び目的地までの経路情報等を表示し、スピーカー２８は、車両１１を目的地に誘導するためのアナウンスを音声出力する。
【００３１】
入力デバイス２９は、ドライバ等の利用者が行動目的等の各種入力を行うためのものであり、操作スイッチ、ジョイスティック、或いは、ディスプレイ２７に設けたタッチパネル等の各種入力手段により構成される。
なお、利用者の音声認識によって入力を受け付ける音声認識装置を入力デバイス２９とすることもできる。この入力デバイス２９に利用者が行った入力信号は車載コンピュータ２１に送られる。
【００３２】
無線通信機２３は、インターネット等の公衆通信網１４を介してサーバー装置１３と通信を行うものである。具体的には、無線通信機２３は、車載コンピュータ２１からの指令により、記憶装置２６に記憶されている車種情報や、行動目的受付部３１によって受け付けられた行動目的の情報、電費取得部３４によって取得された電費情報、バッテリ残量取得部３３によって取得されたバッテリ残量情報、位置取得部３２によって取得された自車位置の情報等を、目的地の提供を要求するための指示（提供要求指示）とともにサーバー装置１３に送信する。また、無線通信機２３は、行動目的に適合した目的地の情報をサーバー装置１３から受信する。
【００３３】
［サーバー装置１３の構成］
図３は、サーバー装置１３の構成を示すブロック図である。
サーバー装置１３は、処理コンピュータ４１と、記憶装置４２と、通信機４３とを備えている。処理コンピュータ４１は、各種の制御プログラムを実装したマイクロコンピュータ等の演算処理装置よりなり、その制御プログラムを実行することによって各種の機能を発揮する。具体的に、処理コンピュータ４１は、その機能部として、行動可能範囲取得部５１、抽出部５２、経路取得部５３、選択部５４、及び優先度設定部５５等を備えている。制御プラグラムは、ＣＤ−ＲＯＭなどの記録媒体に記憶させることができる。
【００３４】
記憶装置４２は、道路地図データベースとともに、地図上に存在する各種施設の情報が記憶されている。この情報としては、施設の位置情報、施設の種類（ジャンル）情報、営業日や営業時間等についての営業情報、施設が有する設備、特に電気自動車の充電設備についての情報等を含んでいる。記憶装置４２は、各種施設の情報を、その種類別或いは目的別に分類した状態で記憶している。また、道路地図データや各種施設の情報については、定期的に内容が更新され、最新の内容に維持されるようになっている。
【００３５】
通信機４３は、車載装置１２の無線通信機２３との間で公衆通信網１４を介して情報の送受信を行う。すなわち、車載装置１２の無線通信機２３から送信された車種情報、行動目的情報、電費情報、バッテリ残量情報、自車位置情報等を目的地情報の提供要求指示とともに受信し、これらの情報に基づいて取得した目的地情報を車載装置１２の無線通信機２３に送信する。
【００３６】
［処理コンピュータ４１の機能と処理手順］
以下、サーバー装置１３の処理コンピュータ４１における各機能部の詳細を、図４におけるフローチャートも参照して説明する。
サーバー装置１３の処理コンピュータ４１は、通信機４３を介して車載装置１２から目的地情報の提供要求指示を含む各種情報を受信すると（図４のステップＳ１）、行動可能範囲取得部５１の機能によって車両１１が行動可能な範囲を取得する（ステップＳ２）。具体的に、行動可能範囲取得部５１は、車載装置１２から送信された自車の位置情報と、バッテリ残量情報と、電費情報とから、車両１１の行動可能範囲を求める。まず、行動可能範囲取得部５１は、バッテリ残量情報と電費情報とから、そのバッテリ残量によって車両１１が走行可能な最大の距離を求める。次いで、この最大の走行距離をもとに、実際に車両１１が行動可能な範囲を推定する。実際の道路においては、目的地に到達するまでに車両１１の右左折を伴い、交差点、踏切、坂道、カーブ、急加減速など電費を悪化させる種々の要因が存在する。また、単に目的地まで走行するだけでなく元の位置（現位置）に戻ることも考慮する必要がある場合もある。そのため、行動可能範囲取得部５１は、図１に示されるように、車両１１の現位置を中心として、最大の走行距離よりも短い距離を半径Ｒとする円形範囲を行動可能範囲として設定する。
【００３７】
行動可能範囲の半径Ｒは、上述したような各種の要因を考慮した上で、バッテリ残量との関係から十分な余裕をもって走行できる距離、例えば、最大の走行距離の１／３〜１／４程度の距離とすることができる。例えば、最大走行距離が約１００ｋｍである場合には、車両１１の現位置から半径２５〜３５ｋｍ程度の範囲内を行動可能範囲とすることができる。また、行動可能範囲は、円形状の範囲とするに限らず、車両１１の現位置を中心とした方形状の範囲としてもよい。
【００３８】
また、行動可能範囲は、次のように求めることも可能である。すなわち、予め、道路（リンク）毎に走行に必要な電力消費量を定義しておき、現在地に接続されている道路を選択していくと同時に各道路に定義された電力消費量を積算し、この積算値がバッテリ残量に達した時点でその道路を行動可能範囲の境界として設定する。そしてこの処理を現在地に接続された全ての道路について総当たりで実行する。この方法であると、演算負荷は若干増えるものの、バッテリ残量に応じたより正確な行動可能範囲を求めることができる。
【００３９】
処理コンピュータ４１における抽出部５２は、車載装置１２から送信された行動目的に適合する施設（目的地）を行動可能範囲から抽出する（ステップＳ３）。例えば、図１に示されるように、行動可能範囲内にある施設Ａ〜Ｄを目的地として抽出し、行動可能範囲外にある施設Ｅ〜Ｇは目的地から除外する。また、例えば、行動目的が「買い物」−「食品」であれば、スーパーやコンビニエンスストア等を行動可能範囲から抽出する。このように行動可能範囲内において行動目的に適合する目的地を抽出することによって、目的地までの経路を探索しなくても、現在のバッテリ残量によって到達可能な目的地をある程度絞り込むことができる。したがって、目的地までの経路を取得するための演算負荷を軽減することができる。
【００４０】
なお、目的地の抽出処理を行った結果、該当する目的地がなかった場合には、サーバー装置１３は目的地がない旨の情報を車載装置１２に送信し（図４のステップＳ１１）、処理を終了する。
【００４１】
処理コンピュータ４１における経路取得部５３は、抽出部５２において抽出された目的地までの経路を取得する処理を行う。具体的には、まず、車載装置１２から送信された情報に基づいて車両１１の車種を判別する（図４のステップＳ５）。そして、経路取得部５３は、車両１１の種類に応じて各目的地までの経路を探索する（ステップＳ６）。
例えば、車両１１の種類が高速道路を走行可能な電気自動車である場合は、目的地までの経路にある高速道路の通行を含めて経路を探索する。逆に、車両１１の種類が高速道路を走行できない電動バイクやパーソナルモビリティ等の場合は、目的地までの経路にある高速道路は除外したうえで経路を探索する。
【００４２】
なお、経路の探索は、従来公知の経路探索ロジック、例えば、ダイクストラ法によって現位置から目的地までのリンクコストが最小となる経路を取得することによって行うことができる。この経路取得部５３において取得する経路は、目的地までの距離を優先したものに限らず、到達時間を優先したもの、電費を優先したものであってもよい。
【００４３】
処理コンピュータ４１における選択部５４は、抽出された目的地の中から実際に目的を達成可能なものを選択する（図４のステップＳ７）。具体的には、車両１１が現位置から探索した経路を通って目的地まで走行した場合の到着予想時刻を求め、記憶装置４２から読み出した当該目的地の営業情報から、到着予想時刻が営業時間内にあるか否かを判定する。そして、選択部５４は、到着予想時刻が営業時間内にある場合には、その施設を目的地として選択し、到着予想時刻が営業時間外にある場合には、その施設を目的地から除外する処理を行う。図１に示される例では、施設Ａ〜Ｃは、到着予想時刻が営業時間内にあるために目的地として選択され、施設Ｄは、到着予想時刻が営業時間外にあるために目的地から除外される。このような目的地の選択処理を行った結果、営業時間内に到着できる目的地が存在しなくなった場合には、処理コンピュータ４１は目的地がない旨の情報を車載装置１２に送信し（図４のステップＳ１１）、処理を終了する。
【００４４】
目的地の選択処理を行った結果、目的地が存在すると判定された場合、処理コンピュータ４１における優先度設定部５５は、所定の条件に応じて目的地に優先度を設定する（ステップＳ９）。具体的には、図５にも示されるように、優先度設定部５５は、まず初期条件（第１の条件）として、選択部５４により選択された全ての目的地について、到達時点のバッテリ残量を推定し、バッテリ残量の多いものほど優先度が高くなるように優先度を設定する（ステップＳ２１）。例えば、目的地までの経路に上り坂などの電力消費量が多くなる要因がある場合、目的地までの距離が短くてもバッテリ残量が少なくなると考えられるため、優先度設定部５５は、このような目的地の優先度を低く設定する。逆に、経路中に下り坂がある場合には電動モータの回生電力によりバッテリ残量が回復し、到達時点におけるバッテリ残量が多くなると考えられるので、優先度設定部５５は、このような目的地の優先度を高く設定する。以上の処理により優先度設定部５５は全ての目的地に対して優先度の初期値を設定する。このように目的地への到達時点におけるバッテリ残量に基づいて優先度を設定することで、優先度の高い目的地を選択した場合にはより少ない消費電力で目的地まで走行することが可能となる。
【００４５】
また、優先度設定部５５は、その他の条件をもとに優先度の調整を行う機能を備えている。具体的には、優先度設定部５５は、第２の条件として、目的地が二次電池の充電設備を備えているか否か、又は目的地までの経路に充電設備が存在するか否かによって優先度を調整する。優先度設定部５５は、目的地又はその経路に充電設備があるか否かを判定し（図５のステップＳ２２）、充電設備がある場合には優先度を上げる処理（又は、充電設備がない場合に優先度を下げる処理）を行う（ステップＳ２３）。このように充電設備の有無に応じて優先度を調整することで、優先度の高い目的地を選択した場合には、その目的地又は経路に充電設備が存在している可能性が高くなり、当該目的地まで走行する場合の電力不足をより確実に回避することができる。
【００４６】
以上の第１及び第２の条件は、バッテリ残量に関する条件であり、バッテリの電力によって走行する、航続距離の短い車両１１にとっては非常に重要度の高い条件である。したがって、本実施形態の優先度設定部５５は、これらの第１，第２の条件を優先的に考慮して優先度を設定している。また、現状においては、電気自動車の公衆充電設備の絶対数が少ないため、充電設備の有無を経路探索の優先度設定の条件として含めることは非常に有用となる。
【００４７】
優先度設定部５５は、第３の条件として、目的地への到達予想時刻における施設の混雑状況に応じて優先度を調節する。記憶装置４２には、施設の情報として混雑している時間帯又は空いている時間帯等の情報が記憶されている。優先度設定部５５は、目的地への到着予想時刻に施設が混雑しているか否かを判定し（図５のステップＳ２４）、混雑している場合には優先度を下げる処理（又は、混雑していない場合に優先度を上げる処理）を行う（ステップＳ２５）。混雑状況に応じて優先度を調整することで、優先度の高い目的地を選択した場合には、混雑に巻き込まれることなくスムーズに効率よく目的を達成することができる。
【００４８】
優先度設定部５５は、第４の条件として、目的地の利用頻度によって優先度を調整する。記憶装置４２には、過去に案内した目的地の情報や車両１１の走行軌跡に関する情報が蓄積されており、その情報から施設の利用頻度、例えば過去一定期間における利用回数を求めることができる。優先度設定部５５は、当該利用回数が所定以上あるか否かを判定し（ステップＳ２６）、利用回数が所定以上ある場合には優先度を上げる処理（又は、利用回数が所定未満の目的地の優先度を下げる処理）を行う。このように目的地の利用頻度に応じて優先度を調整することで、優先度の高い目的地ほど、利用者の嗜好性により適合している可能性が高くなる。
【００４９】
以上の第１〜第４の条件は一例であり、これらに加えて又は代えて、他の条件に基づいて優先度を設定してもよい。また、第１〜第４の条件判定の順序も適宜変更することができる。他の条件として、例えば、最後に施設を利用してから現在に到るまでの期間の長短、施設の利用料金、駐車場の有無、駐車料金等を採用することができる。
【００５０】
処理コンピュータ４１は、全ての目的地に対して優先度の調整が行われたか否かを判定し（図５のステップＳ２８）、行われていない場合には処理をステップＳ２２に戻し、行われた場合には、処理をステップＳ１０（図４参照）に進める。
そして、処理コンピュータ４１は、通信機４３を介して目的地の情報（場所、経路、優先度等）を車載装置１２に送信し、処理を終了する。
【００５１】
車載装置１２は、受信した目的地の情報を、入力デバイス２９を介して選択可能な状態でディスプレイ２７に表示する。そして、ディスプレイ２７に表示された目的地の中から利用者の所望のものが選択されると、車載コンピュータ２１は、当該目的地への経路を地図上に表示し、案内を開始する。
【００５２】
以上説明したように、本実施形態の目的地情報提供システムによれば、サーバー装置１３の処理コンピュータ４１が、車両１１の現位置と電費と二次電池の残量とから、車両１１の行動可能範囲を取得し、取得された行動可能範囲内から所望の行動目的に応じた目的地を抽出する。したがって、車両１１は、行動可能範囲内の目的地へバッテリの電力不足を招くことなく確実に到達することができる。
【００５３】
本発明に関して、今回開示された実施形態はすべての点で例示であって制限的なものではないと考えられるべきである。本発明の範囲は、上記した意味ではなく、特許請求の範囲と均等の意味及び範囲内でのすべての変更が含まれることが意図される。
本実施形態では、サーバー装置１３の処理コンピュータ４１が、車両１１の行動可能範囲の取得、目的地の抽出、経路の取得、目的地の選択、優先度の設定等の処理を行っているが、これらの処理の全て又は一部を車載装置１２の車載コンピュータ２１が行ってもよい。ただし、この場合、車載コンピュータ２１の演算負荷が大きくなり、バッテリの電力消費も大きくなるため、航続距離に悪影響を及ぼす可能性がある。よって、本実施形態のように負荷の大きな演算は車載装置１２外のサーバー装置１３に行わせることによって、バッテリの電力消費を抑制し、航続距離を可及的に確保することができる。
【００５４】
車載装置１２は、車両１１に据え置いたものであってもよいが、スマートフォンやタブレット型端末等の携帯端末であってもよい。この場合、図３に示される一部の機能、例えば、車速を取得する機能や、バッテリ残量や消費電力を取得する機能は省略される。そのため、バッテリ残量については車両１１のメータ等から読み取って利用者が直接的に携帯端末に入力するように構成してもよく、電費についても車両１１が演算したもの又は利用者が演算したものを直接的に携帯端末に入力するように構成してもよい。
また、本発明の移動体は、必ずしも車両（車輪によって走行するもの）でなくてもよい。
【符号の説明】
【００５５】
１０  ：目的地情報提供システム
１１  ：車両（移動体）
１２  ：車載装置
１３  ：サーバー装置
１４  ：公衆通信網
２１  ：車載コンピュータ
２２  ：ＧＰＳ受信機
２３  ：無線通信機
２４  ：車速センサ
２５  ：ジャイロセンサ
２６  ：記憶装置
２７  ：ディスプレイ
２８  ：スピーカー
２９  ：入力デバイス
３１  ：行動目的受付部
３２  ：位置取得部
３３  ：バッテリ残量取得部
３４  ：電費取得部
３５  ：バッテリ制御部
４１  ：処理コンピュータ
４２  ：記憶装置
４３  ：通信機
５１  ：行動可能範囲取得部
５２  ：抽出部
５３  ：経路取得部
５４  ：選択部
５５  ：優先度設定部
【図１】
2014228429.tif 000003
【図２】
2014228429.tif 000004
【図３】
2014228429.tif 000005
【図４】
2014228429.tif 000006
【図５】
2014228429.tif 000007